(57)【要約】【課題】異なるフェアウェイウッドタイプのゴルフクラブの間でスピンの変動を最小にする複数のゴルフクラブヘッドを提供する。【解決手段】スピンの差異が最小にされる複数のゴルフクラブヘッドがここに開示される。さらに具体的には、本発明は、約１１０立方センチメートル（ｃｃ）〜約２５０ｃｃの体積を有する複数のフェアウェイウッドタイプのゴルフクラブヘッドを開示しており、複数のメタルウッドタイプのゴルフクラブヘッドのうちのいずれか２つのクラブの間のバックスピンの変化は、毎分約６００回転（ｒｐｍ）未満である。本発明に係る複数のゴルフクラブは、複数のゴルフクラブヘッドのうちで特定のゴルフクラブヘッドのロフトに差異があるにも拘わらずゴルフクラブヘッドの中立軸線から約８．０ｍｍ未満に重心（ＧＣ）位置を維持するクラブのすべてを概して有する。【選択図】図４
2011131056.tif 000002
【特許請求の範囲】
【請求項１】
第１ゴルフクラブヘッドと、第２ゴルフクラブヘッドと、を備える複数のゴルフクラブヘッドであって、
前記第１ゴルフクラブヘッドは、第１打撃フェースと、第１重心と、を備え、
前記第１打撃フェースは、当該第１ゴルフクラブヘッドの前側部分に配置されており、
前記第１打撃フェースは、約１４度より大きいとともに約２４度未満の第１ロフト角を有しており、
前記第１打撃フェースは第１フェース中心を有しており、前記第１フェース中心は、当該第１フェース中心を通って前記第１打撃フェースに垂直な第１中立軸線を規定しており、
前記第１重心は、前記第１中立軸線から第１ＣＧ位置距離で離れて配置されており、
前記第２ゴルフクラブヘッドは、第２打撃フェースと、第２重心と、を備え、
前記第２打撃フェースは、前記第２ゴルフクラブヘッドの前側部分に配置されており、
前記第２打撃フェースは、約１４度より大きいとともに約２４度未満の第２ロフト角を有しており、
前記第２打撃フェースは第２フェース中心を有しており、前記第２フェース中心は、当該第２フェース中心を通って前記第２フェース中心に垂直な第２中立軸線を規定しており、
前記第２重心は、前記第２中立軸線から第２ＣＧ位置距離で離れて配置されており、
前記第１ゴルフクラブヘッド及び前記第２ゴルフクラブヘッドは両方とも約１１０ｃｃより大きいとともに約２５０ｃｃ未満の体積を有しており、
前記第１ＣＧ位置距離と前記第２ＣＧ位置距離との間の差異は約１．００ｍｍ未満である複数のゴルフクラブヘッド。
【請求項２】
前記第１ＣＧ位置距離と前記第２ＣＧ位置距離との間の差異は約１．０ｍｍ未満である請求項１に記載の複数のゴルフクラブヘッド。
【請求項３】
前記第１ＣＧ位置距離と前記第２ＣＧ位置距離との間の差異は約０．７５ｍｍ未満である請求項２に記載の複数のゴルフクラブヘッド。
【請求項４】
前記第１ゴルフクラブヘッドと前記第２ゴルフクラブヘッドとの間のＣＧ位置距離に対する体積の比率の差異は約５０ｃｍ2未満であり、
前記ＣＧ位置距離に対する体積の比率は、前記ゴルフクラブヘッドの体積が、前記中立軸線から測定される前記重心の位置によって割り算されることによって定義される請求項１に記載の複数のゴルフクラブヘッド。
【請求項５】
前記第１ゴルフクラブヘッドと前記第２ゴルフクラブヘッドとの間における前記ＣＧ位置距離に対する体積の比率の前記差異は約４８ｃｍ2未満である請求項４に記載の複数のゴルフクラブヘッド。
【請求項６】
前記第１ゴルフクラブヘッドと前記第２ゴルフクラブヘッドとの間における前記ＣＧ位置距離に対する体積の比の前記差異は約４６ｃｍ2未満である請求項５に記載の複数のゴルフクラブヘッド。
【請求項７】
前記第１ロフト角は前記第２ロフト角よりも大きく、
前記第１ゴルフクラブヘッドのロフトに対するスピンの第１比率が、前記第２ゴルフクラブヘッドのロフトに対するスピンの第２比率よりも小さく、
前記ロフトに対するスピンの比率は、前記ゴルフクラブヘッドによってインパクトされた後のゴルフボールのバックスピンが前記ゴルフクラブヘッドの前記ロフト角によって割り算されたものとして定義される請求項４に記載の複数のゴルフクラブヘッド。
【請求項８】
前記バックスピンは、約−２度〜約２度の間の迎え角で約８０ｍｐｈ〜約８５ｍｐｈの速度で前記ゴルフクラブヘッドをスイングすることによって生成される請求項７に記載の複数のゴルフクラブヘッド。
【請求項９】
打撃フェースと、重心と、を備えるゴルフクラブヘッドであって、
前記打撃フェースは、前記ゴルフクラブヘッドの前側部分に配置されており、
前記打撃フェースは、約１４度よりも大きいとともに約２４度未満のロフト角を有しており、
前記打撃フェースはフェース中心を有しており、前記フェース中心は、当該フェース中心を通って前記打撃フェースに垂直な第１中立軸線を規定しており、
前記重心は、前記第１中立軸線からＣＧ位置距離で離れて配置されており、
前記ゴルフクラブヘッドは、約１１０ｃｃより大きいとともに約２５０ｃｃ未満の体積を有しており、
前記ＣＧ位置距離は約８．０ｍｍ未満であるゴルフクラブヘッド。
【請求項１０】
前記ゴルフクラブヘッドの前記ロフトが増加するにつれて前記ゴルフクラブヘッドのロフトに対するスピンの比率が減少し、
前記ロフトに対するスピンの比率は、前記ゴルフクラブヘッドによってインパクトされた後のゴルフボールのバックスピンが前記ゴルフクラブヘッドの前記ロフト角によって割り算されたものとして定義される請求項９に記載のゴルフクラブヘッド。
【請求項１１】
前記バックスピンは、約−２度〜約２度の間の迎え角で約８０ｍｐｈ〜約８５ｍｐｈの速度で前記ゴルフクラブヘッドをスイングすることによって生成される請求項１０に記載のゴルフクラブヘッド。
【請求項１２】
スピン率は、前記ゴルフクラブヘッドの前記ロフトが約１６度である場合に約３６００ｒｐｍである請求項１１に記載のゴルフクラブヘッド。
【請求項１３】
スピン率は、前記ゴルフクラブヘッドの前記ロフトが約１８度である場合に約３９００ｒｐｍである請求項１２に記載のゴルフクラブヘッド。
【請求項１４】
スピン率は、前記ゴルフクラブヘッドの前記ロフトが約２０度である場合に約４２００ｒｐｍである請求項１３に記載のゴルフクラブヘッド。
【請求項１５】
第１ゴルフクラブヘッドと、第２ゴルフクラブヘッドと、を備える複数のゴルフクラブヘッドであって、
前記第１ゴルフクラブヘッドは、第１打撃フェースと、第１重心と、を備え、
前記第１打撃フェースは、当該第１ゴルフクラブヘッドの前側部分に配置されており、
前記第１打撃フェースは、約１４度より大きいとともに約２４度未満の第１ロフト角を有しており、
前記第１打撃フェースは第１フェース中心を有しており、前記第１フェース中心は、当該第１フェース中心を通って前記第１打撃フェースに垂直な第１中立軸線を規定しており、
前記第１重心は、前記第１中立軸線から第１ＣＧ位置距離で離れて配置されており、
前記第２ゴルフクラブヘッドは、第２打撃フェースと、第２重心と、を備え、
前記第２打撃フェースは、前記第２ゴルフクラブヘッドの前側部分に配置されており、
前記第２打撃フェースは、約１４度より大きいとともに約２４度未満の第２ロフト角を有しており、
前記第２打撃フェースは第２フェース中心を有しており、前記第２フェース中心は、当該第２フェース中心を通って前記第２フェース中心に垂直な第２中立軸線を規定しており、
前記第２重心は、前記第２中立軸線から第２ＣＧ位置距離で離れて配置されており、
前記第１ゴルフクラブヘッド及び前記第２ゴルフクラブヘッドは両方とも約１１０ｃｃより大きいとともに約２５０ｃｃ未満の体積を有しており、
前記第１ゴルフクラブヘッドと前記第２ゴルフクラブヘッドとの間のＣＧ位置距離に対する体積の比率における差異は約５０ｃｍ2未満であり、
前記ＣＧ位置距離に対する体積の比率は、前記ゴルフクラブヘッドの前記体積が、前記中立軸線から測定される前記重心の位置によって割り算されることによって定義される複数のゴルフクラブヘッド。
【請求項１６】
前記第１ゴルフクラブヘッドと前記第２ゴルフクラブヘッドとの間における前記ＣＧ位置距離に対する体積の比率の前記差異は約４８ｃｍ2未満である請求項１５に記載の複数のゴルフクラブヘッド。
【請求項１７】
前記第１ゴルフクラブヘッドと前記第２ゴルフクラブヘッドとの間における前記ＣＧ位置距離に対する体積の比率の前記差異は約４６ｃｍ2未満である請求項１６に記載の複数のゴルフクラブヘッド。
【請求項１８】
前記第１ロフト角は前記第２ロフト角よりも大きく、
前記第１ゴルフクラブヘッドのロフトに対するスピンの第１比率が、前記第２ゴルフクラブヘッドのロフトに対するスピンの第２比率よりも小さく、
前記ロフトに対するスピンの比率は、前記ゴルフクラブヘッドによってインパクトされた後のゴルフボールのバックスピンが前記ゴルフクラブヘッドの前記ロフト角によって割り算されたものとして定義される請求項１５に記載の複数のゴルフクラブヘッド。
【請求項１９】
前記バックスピンは、約−２度〜約２度の間の迎え角で約８０ｍｐｈ〜約８５ｍｐｈの速度で前記ゴルフクラブヘッドをスイングすることによって生成される請求項１８に記載の複数のゴルフクラブヘッド。
【発明の詳細な説明】
【技術分野】
【０００１】
本発明は概して、ゴルフクラブヘッドの１つ１つによって生成されるスピンの差異を最小にする複数のゴルフクラブヘッドに関する。さらに具体的には、本発明は、約１１０立方センチメートル（ｃｃ）〜約２５０ｃｃの体積を有する複数のメタルウッドタイプのゴルフクラブヘッドに関し、複数のメタルウッドタイプのゴルフクラブヘッドのうちのいずれか２つのクラブの間のバックスピンの変化が毎分約６００回転（ｒｐｍ）未満である複数のメタルウッドタイプのゴルフクラブヘッドに関する。さらに具体的には、本発明は、すべてのゴルフクラブヘッドが、ゴルフクラブヘッドの中立軸線から約８．０ｍｍ未満で離れる重心（ＣＧ）の位置を有しており、ロフトが増加するにつれて減少するロフトに対するスピンの比率を生じさせ、その結果、クラブ同士の間でロフトに対するスピンの比率の変化が約１０ｒｐｍ／度未満である複数のフェアウェイウッドタイプのゴルフクラブヘッドに関する。
【背景技術】
【０００２】
ゴルフコースの難題をうまく乗り越えるために、ゴルファーは、ゴルフコースの至る所で出くわす様々な目的を達成するように設計された様々なゴルフクラブを使用し得る。例えば、ゴルフのラウンド中、ゴルファーの主要な目的の１つは、ゴルフボールをできる限り遠くに飛ばすことである。ゴルフボールとの接触の性質を改善するゴルフティーを利用してティーグラウンドからゴルフショットの飛距離を最大にすることによってこの目的を達成するために、ドライバータイプのゴルフクラブが概して使用される。一連のものの範囲の反対側では、ゴルフの他の目的の１つは、カップ内にゴルフボールを正確に入れてホールを終了させることである。パタータイプのゴルフクラブは、カップ内にゴルフボールをそっと導くことによってこの２番目の目的を達成するために概して使用されており、その結果、正確性を最大限に重視することを必要とする。上述した２つの目的の間には、様々な多数のクラブを使用することをゴルファーに求める多数の他の目的がある。一般的に、ゴルフのゲームの中における他の主要な目的の１つは、できる限りカップにゴルフボールを近づけることであり、その結果、必要とされる特定の飛距離レンジのために飛距離と正確性との間のバランスを必要とする。ゴルファーの正確な飛距離に対する要求に応じてゴルフショットの正確性と飛距離とのバランスをアイアンタイプのゴルフクラブが得ようと試みることから、アイアンタイプのゴルフクラブは、上述の３番目の目的を達成しようと願うゴルファーにとって支配的に選択されるゴルフクラブであった。
【０００３】
しかしながら、ドライバータイプのゴルフクラブヘッド、アイアンタイプのゴルフクラブヘッド、及びパタータイプのゴルフクラブヘッドがあるものの、ゴルフコースには、上述のクラブによってアドレスすることができる又はできない多数の他の問題が存在する。例えば、ティーグラウンドからカップまでゴルフボールを運ぶ困難性に加えて、ゴルフコースは、例えばこれらのさらなる難題をゴルファーが克服することを手助けする特殊なゴルフクラブを必要とし得る砂のトラップ、深いラフ、木、池、川、海、滝、長いパーファイブ、又は石壁などの多数のさらなる難題を与える。ゴルフコースのこうしたさらなる難題に取り組むため、ゴルフコースのこれらのさらなる難題へのゴルファーの取り組みを手助けするために特殊なゴルフクラブが作り出された。大きな重量、鋭いエッジ及び大きなロフトを有するサンドウェッジは、ゴルファーがゴルフコースの砂のトラップから脱出することをより簡単にするクラブの一例である。他方で、彼又は彼女がかなり大きな飛距離にわたってゴルフボールを飛ばすことを必要とする時、特に、ゴルファーが、ゴルフティーを使用することができない位置でゴルフボールを見つけた時、出くわす困難にゴルファーが取り組むことを手助けするためにフェアウェイウッドが開発された。
【０００４】
フェアウェイウッドは、ドライバーと同様に、ゴルフショットの飛距離を最大にすることに重点を置く特殊なタイプのゴルフクラブである。しかしながら、フェアウェイウッドは、ゴルフティーありで又はゴルフティーなしで地面にあるゴルフボールを打つために使用され得る点でドライバーと異なる。ゴルフティーなしで地面から離すパフォーマンスを最大にすることができる必要があるので、フェアウェイウッドは、概して小さなサイズを有しており、その結果、地面にあるゴルフボールの下に効果的に入ってゴルフボールに係合することができる。
【０００５】
上述のようなゴルフコースの最も一般的な難題の１つをゴルファーが克服することを手助けすることにおいてフェアウェイウッドタイプのゴルフクラブは成功して広く受け入れられているので、より良いボールの飛びを提供し、ゴルフボールの下にうまく入ってゴルフボールとうまく係合することをゴルフクラブに可能にするために、クラブの重心を低くすることによってフェアウェイウッドタイプのゴルフクラブのパフォーマンスを改善する多くの試みがなされてきた。オオタに付与された特許文献１は、フェースと、下側ソール部分と、上側部分と、側壁と、を規定するゴルフクラブヘッドを開示することによってこの例を示している。特許文献１のソール部分は、上側部分よりも概して厚く、好ましくは約１と３分の１倍〜６倍の厚さであり、その結果、ゴルフボールの下でクラブヘッドのフェースをゴルファーがさらに簡単にスイングすることを可能にする低い重心を生じる。
【０００６】
フェアウェイウッドのパフォーマンスを向上させる別の方法は、さらなる寛大さを提供するためにより大きな慣性モーメントを有するフェアウェイウッドタイプのゴルフクラブを作り出すことである。さらに具体的には、従来技術は、ゴルフクラブヘッドの捻れを防止するためにフェアウェイウッドタイプのゴルフクラブヘッドの先端において重要な重量配置を利用することが可能である。インパクト時の捻れを防止するゴルフクラブヘッドのこの能力は、ゴルフクラブヘッドの慣性モーメントを概して増大させ、その結果、インパクト位置に関わらずより正確なフェアウェイウッドタイプのゴルフクラブを生み出す。
【先行技術文献】
【特許文献】
【０００７】
【特許文献１】米国特許第６０７４３１０号明細書
【発明の概要】
【発明が解決しようとする課題】
【０００８】
フェアウェイウッドタイプのゴルフクラブの多用途性及び向上したパフォーマンス性能に起因して、フェアウェイウッドは、ゴルファーから突出した賛同を得てきた。実際のところ、ゴルファーは、フェアウェイウッドが非常に魅力的であることを見出しており、ゴルフ業界は、ゴルフボールをかなりの距離にわたって飛ばすといった基本的な前提を維持することのすべての範囲内で異なるタイプのゴルフショットをゴルファーが達成することを手助けするために、これらのフェアウェイウッドの提供を、様々なロフトを有する複数のフェアウェイウッドを含むことまで拡大した。これらの向上した性能の効果に加えて多数の提案がなされたため、彼又は彼女がゴルフコースの困難を乗り越えることを手助けする複数のフェアウェイウッドを持ち運ぶことはゴルファーにとって珍しくない。しかしながら、その小さなサイズから生じるフェアウェイウッドの固有の設計的限界のために、ロフトに関して相互に異なるフェアウェイウッドは、フェアウェイウッドのパフォーマンスを変化させ得るサイズ、体積及び形状に関する顕著な変化を概して伴う。
【０００９】
ゴルファーがゴルフコースの追加の長さを乗り越えることを手助けするためにフェアウェイウッドの技術の範囲内における著しい技術進歩にも関わらず、フェアウェイウッドの技術の範囲内での進歩は孤立しており、フェアウェイタイプのゴルフクラブのすべてのセットにおいてクラブが可能な最大距離を達成することを阻止する可変性をコントロールする代わりに個々のクラブに焦点を当てている。さらに具体的には、サイズ、体積、及び形状が異なるので、大きなロフトのフェアウェイウッドタイプのゴルフクラブによって生成されるスピン量は、概してかなり大きいものであり、大きなロフトのフェアウェイウッドタイプのゴルフクラブから飛距離を奪う。
【００１０】
従って、上から分かるように、複数のフェアウェイウッドの分野では、セット内のありとあらゆるクラブの飛距離を最大にする要求があることが分かる。さらに具体的には、個々のフェアウェイウッドタイプのゴルフクラブヘッドの各々が様々なロフトを有し得るという事実にも関わらず、フェアウェイウッドのセットの分野では、異なるフェアウェイウッドタイプのゴルフクラブの間でスピンの変動を最小にする要求がある。
【課題を解決するための手段】
【００１１】
本発明の１つの態様は、第１ゴルフクラブヘッドと第２ゴルフクラブヘッドとを備える複数のゴルフクラブヘッドである。第１ゴルフクラブヘッドは、当該第１ゴルフクラブヘッドの前側部分に配置される第１打撃フェースを備えており、この第１打撃フェースは、約１４度よりも大きいとともに約２４度未満の第１ロフト角を有する。第１打撃フェースはまた、第１フェース中心を有しており、この第１フェース中心は、当該第１フェース中心を通って第１打撃フェースに垂直な第１中立軸線を規定する。第１ゴルフクラブヘッドはまた、第１中立軸線からＣＧ位置距離で離れて配置される第１重心を有する。第２ゴルフクラブヘッドは、当該第２ゴルフクラブヘッドの前側部分に配置される第２打撃フェースを備えており、この第２打撃フェースは、約１４度よりも大きいとともに約２４度未満の第２ロフト角を有する。第２打撃フェースはまた、第２フェース中心を有しており、この第２フェース中心は、当該第２フェース中心を通って第２打撃フェースに垂直な第２中立軸線を規定する。第２ゴルフクラブヘッドはまた、第２中立軸線からＣＧ位置距離で離れて配置される第２重心を有する。第１ゴルフクラブヘッドと第２ゴルフクラブヘッドとは両方とも、約１１０ｃｃよりも大きいとともに約２５０ｃｃ未満の体積を有しており、及び第１ＣＧ位置距離と第２ＣＧ位置距離との間の差異は約１．００ｍｍ未満である。ＣＧ位置距離は、ＣＧの位置を通って中立軸線に垂直に延びる線分によって算出される。
【００１２】
本発明の別の態様は、ゴルフクラブヘッドの前側部分に配置される打撃フェースを備えるゴルフクラブヘッドであり、この打撃フェースは、約１４度よりも大きいとともに約２４度未満の第１ロフト角を有する。打撃フェースはまた、フェース中心を有しており、このフェース中心は、当該フェース中心を通って打撃フェースに垂直な中立軸線を規定する。ゴルフクラブヘッドはまた、中立軸線からＣＧ位置距離で離れて配置される重心を有しており、ゴルフクラブヘッドは、約１１０ｃｃよりも大きいとともに約２５０ｃｃ未満の体積を有しており、ＣＧ位置距離は約８．０ｍｍ未満である。ＣＧ位置距離は、ＣＧの位置を通って中立軸線に垂直に延びる線分によって算出される。
【００１３】
本発明のさらなる態様は、第１ゴルフクラブヘッドと第２ゴルフクラブヘッドとを備える複数のゴルフクラブヘッドである。第１ゴルフクラブヘッドは、当該第１ゴルフクラブヘッドの前側部分に配置される第１打撃フェースを備えており、この第１打撃フェースは、約１４度よりも大きいとともに約２４度未満の第１ロフト角を有している。第１打撃フェースはまた、第１フェース中心を有しており、この第１フェース中心は、当該第１フェース中心を通って第１打撃フェースに垂直な第１中立軸線を規定している。第１ゴルフクラブヘッドはまた、第１中立軸線から第１ＣＧ位置距離で離れて配置される第１重心を有している。第２ゴルフクラブヘッドは、当該第２ゴルフクラブヘッドの前側部分に配置される第２打撃フェースを備えており、この第２打撃フェースは、約１４度よりも大きいとともに約２４度未満の第２ロフト角を有している。第２打撃フェースはまた第２フェース中心を有しており、この第２フェース中心は、当該第２フェース中心を通って第２打撃フェースに垂直な第２中立軸線を規定している。第２ゴルフクラブヘッドはまた、第２中立軸線から第２ＣＧ位置距離で離れて配置される第２重心を有している。第１ゴルフクラブヘッド及び第２ゴルフクラブヘッドは両方とも、約１１０ｃｃよりも大きいとともに約２５０ｃｃ未満の体積を有しており、第１ゴルフクラブヘッドと第２ゴルフクラブヘッドとの間のＣＧ位置距離に対する体積の比率における差異は約５０ｃｍ2未満であり、ＣＧ位置距離に対する体積の比率は、ゴルフクラブヘッドの体積が、中立軸線から測定される重心の位置によって割り算されることで定義される。ＣＧ位置距離は、ＣＧ位置を通って中立軸線に垂直に延びる線分によって算出される。
【００１４】
本発明のこれらと他の特徴、態様、並びに利点は、以下の図面、説明、及び特許請求の範囲を参照することによってより良好に理解されることになるであろう。
【００１５】
本発明の前述の及び他の特徴並びに利点は、添付の図面に図示されるような発明に関する以下の説明から明らかになるであろう。ここに組み込まれて明細書の一部を形成する添付の図面は、本発明の原理を説明すること、及び、当業者が本発明を作って利用することを可能にすることにさらに役立つ。
【図面の簡単な説明】
【００１６】
【図１】従来技術の３番のフェアウェイウッドタイプのゴルフクラブヘッドの断面図である。
【図２】従来技術の５番のフェアウェイウッドタイプのゴルフクラブヘッドの断面図である。
【図３】従来技術の７番のフェアウェイウッドタイプのゴルフクラブヘッドの断面図である。
【図４】本発明の典型的な実施形態に係る３番のフェアウェイウッドタイプのゴルフクラブヘッドの断面図である。
【図５】本発明の典型的な実施形態に係る５番のフェアウェイウッドタイプのゴルフクラブヘッドの断面図である。
【図６】本発明の典型的な実施形態に係る７番のフェアウェイウッドタイプのゴルフクラブヘッドの断面図である。
【発明を実施するための形態】
【００１７】
以下の詳細な説明は、現在最良と考えられる本発明の実施形態のものである。説明は、限定された意味で解釈されるべきではないものの、本発明の範囲は添付の特許請求の範囲によって最良に規定されているので、本発明の一般原理を例示する目的のために単になされている。
【００１８】
相互に独立して又は他の特徴と組み合わせてそれぞれ用いられ得る様々な発明の特徴が以下に説明される。しかしながら、任意の１つの発明の特徴は、上述の課題のいずれか又はすべてに向けられておらず、又は、上述の課題の１つにのみ向けられ得る。さらに、上述の課題の１つ以上には、以下に説明される特徴のいずれかが完全には向けられていない。
【００１９】
ここに示される図１〜図３は、従来技術の複数のゴルフクラブヘッドに関しており、これらのゴルフクラブヘッドでは、重心（ＣＧ）の位置はゴルフクラブヘッド１００、２００、及び３００のサイズ及び形状によって主に追いやられており、その結果、ゴルフクラブヘッド１００、２００、及び３００の間でバックスピン率をかなり変動させる。さらに具体的には、ゴルフクラブヘッド１００、２００、及び３００の間のバックスピン率の顕著な変動のために、これらのゴルフクラブヘッドのパフォーマンスに欠陥を生じさせ、飛距離の減少を招く。ここで図１に示されるゴルフクラブヘッド１００は、約１６度のロフトを有する従来の３番のフェアウェイウッドタイプのゴルフクラブヘッドにほぼ似ている。ここで図２に示されるゴルフクラブヘッド２００は、約１８度のロフトを有する従来の５番のフェアウェイウッドタイプのゴルフクラブヘッドにほぼ似ている。ここで図３に示されるゴルフクラブヘッド３００は、約２０度のロフトを有する７番のゴルフクラブヘッドタイプのゴルフクラブヘッドにほぼ似ている。
【００２０】
ここで図１を参照すると、従来技術の３番のフェアウェイウッドタイプのゴルフクラブヘッド１００が示されており、３番のフェアウェイウッドタイプのゴルフクラブヘッド１００がロフト角αを有することを見ることができる。既に上述されたように、３番のフェアウェイウッドタイプのゴルフクラブヘッド１００は、約１６度のロフト角を概して有しており、そのことは、フェアウェイウッドタイプのゴルフクラブヘッドのセットのうちで概して最も小さいロフトを有するクラブであることを示している。図１はまた、ゴルフクラブヘッド１００の本体内でのＣＧ１０２の位置を示している。さらに具体的には、ＣＧ１０２は、ゴルフクラブヘッド１００の中立軸線１０４から「ＣＧ位置距離」ｄ１で離れて配置される。ゴルフクラブヘッド１００の中立軸線１０４は、ゴルフクラブヘッド１００の打撃フェース１１０の中心１０６を通るとともにロフト角αを有する打撃フェース１１０に対して垂直な軸線として概ね定義されている。この従来技術のゴルフクラブヘッド１００では、ここで特に言及されるように、「ＣＧ位置距離」ｄ１が、中立軸線１０４に垂直な地点から測定される中立軸線１０４からのＣＧ１０２の位置を示していることに言及することに価値がある。この図１の従来技術の形態で言及されるように、「ＣＧ位置距離」ｄ１は概ね約５．６ｍｍである。従来技術の３番のフェアウェイウッドタイプのゴルフクラブヘッド１００は概ね約１６５ｃｃの体積を有する。最後に、この従来技術の３番のフェアウェイウッドタイプのゴルフクラブヘッド１００によって生成されるバックスピン量は、約−２度〜約２度の間の迎え角で時速約８０マイル〜時速約８５マイル（ｍｐｈ）の速度でゴルフクラブヘッドがスイングされる場合に、概ね毎分約３６００回転（ｒｐｍ）であることに言及することには価値がある。
【００２１】
図２は、ロフト角βを有する従来技術の５番のフェアウェイウッドタイプのゴルフクラブヘッド２００を示す。既に上述されたように、５番のフェアウェイウッドタイプのゴルフクラブヘッド２００は、概ね約１８度のロフト角を有しており、そのことが、飛距離と正確性とに関してバランスのとれたフェアウェイウッドタイプのゴルフクラブヘッド２００にする。従来技術では、ＣＧ２０２の位置と中立軸線２０４との間の「ＣＧ位置距離」ｄ２が「ＣＧ位置距離」ｄ１よりも概して大きいことに言及することには価値がある。さらに具体的には、「ＣＧ位置距離」ｄ２は概ね約７．５ｍｍであり、その結果、この従来技術の５番のフェアウェイウッドタイプのゴルフクラブヘッド２００は、図１に示される３番のフェアウェイウッドタイプのゴルフクラブヘッド１００よりもかなり多くのバックスピンを生成する。５番のフェアウェイウッドタイプのゴルフクラブヘッド２００と３番のフェアウェイウッドタイプのゴルフクラブヘッド１００との間のバックスピンのこの増加は、過度のバックスピンがゴルフショットの飛距離を奪うので望ましくない。従来技術の５番のフェアウェイウッドタイプのゴルフクラブヘッド２００は概ね約１６０ｃｃの体積を有する。この従来技術の５番のフェアウェイウッドタイプのゴルフクラブヘッド２００によって生成されるバックスピンの量は、約−２度〜約２度の間の迎え角で約８０ｍｐｈ〜約８５ｍｐｈの速度でゴルフクラブヘッドがスイングされる場合に、概ね約４５００ｒｐｍであることに言及することにも価値がある。
【００２２】
図３は、ロフト角γを有する従来技術の７番のフェアウェイウッドタイプのゴルフクラブヘッド３００を示す。既に上述されたものと同様に、７番のフェアウェイウッドタイプのゴルフクラブヘッド３００は、概ね約２０度のロフト角を有しており、そのことが、大きなロフトを有するフェアウェイウッドタイプのゴルフクラブヘッド３００にする。従来技術では、ＣＧ３０２の位置と中立軸線３０４との間の「ＣＧ位置距離」ｄ３がｄ１又はｄ２よりも概して大きいことに言及することに価値がある。さらに具体的には、「ＣＧ位置距離」ｄ３は概ね約９．５ｍｍであり、その結果、この従来技術の７番のフェアウェイウッドタイプのゴルフクラブヘッド３００は、図１及び図２に示される３番のフェアウェイウッドタイプのゴルフクラブヘッド１００及び５番のフェアウェイウッドタイプのゴルフクラブヘッド２００よりもかなり多くのバックスピンを生成する。従来技術の７番のフェアウェイウッドタイプのゴルフクラブヘッド３００は概ね約１５０ｃｃの体積を有する。この従来技術の７番のフェアウェイウッドタイプのゴルフクラブヘッド３００によって生成されるバックスピンの量は、約−２度〜約２度の間の迎え角で約８０ｍｐｈ〜約８５ｍｐｈの速度でゴルフクラブヘッドがスイングされる場合に、概ね約５４００ｒｐｍであることに言及することにも価値がある。
【００２３】
従来技術のフェアウェイウッドタイプのゴルフクラブヘッド１００、２００、及び３００によって生成されるスピンの量を調べると、５番のフェアウェイウッドタイプのゴルフクラブヘッド２００は、３番のフェアウェイウッドタイプのゴルフクラブヘッド１００よりも約９００ｒｐｍもの多くのバックスピンを生成し得ることを観察することが可能である。さらに、７番のフェアウェイウッドタイプのゴルフクラブヘッド３００が、５番のフェアウェイウッドタイプのゴルフクラブヘッド２００よりも約９００ｒｐｍもの多くのバックスピンを生成し得ることが上から明らかでもある。異なるクラブ同士の間のこのバックスピンの劇的な増加は、例えばバックスピンの劇的な増加が大きなロフトを有するフェアウェイウッドタイプのゴルフクラブヘッドの飛距離を奪うように、これらのフェアウェイウッドタイプのゴルフクラブヘッドのすべてのパフォーマンスに対して不利益であり得る。さらに、そうした異なるクラブ同士の間のこのバックスピンの劇的な増加によって、これらの異なるクラブによってなされるゴルフショットの弾道が劇的に別のものになり、その結果、それらのクラブを相互にさらに予測しにくくする。
【００２４】
図１、図２及び図３を見ると、従来技術のゴルフクラブでは、複数のゴルフクラブヘッドのうちの異なるフェアウェイウッドタイプのゴルフクラブの間で中立軸線からのＣＧ位置距離に劇的な変化があることを観察することが可能である。さらに具体的には、「ＣＧ位置距離」ｄ１、ｄ２、及びｄ３の間の差異は概ね約１．００ｍｍよりも大きい。例えば、「ＣＧ位置距離」ｄ１と距離ｄ２との差異は概ね約１．７４ｍｍである一方で、「ＣＧ位置距離」ｄ２とｄ３との間は概ね約２．１７ｍｍである。ＣＧ位置距離ｄ１、ｄ２、及びｄ３における劇的な変化は、異なるフェアウェイウッドタイプのゴルフクラブヘッド同士の間の大きなスピンの変動を有する上述の望ましくない作用に与える要因の１つである。そういった大きなスピンの変動を有することは、大きなロフトを有するクラブが過度のスピンを生成する場合にゴルフショットが高く打ち上げられる傾向にあり、そのことがゴルファーの飛距離を奪うので、ゴルフクラブにとって望ましくない。
【００２５】
他方で、図４〜図７は、複数のフェアウェイウッドタイプのゴルフクラブヘッドを通じて相対的に一定の位置にＣＧ位置を戦略的に配置するために意識的な努力がなされる、本発明の典型的な実施形態に係る複数のフェアウェイウッドタイプのゴルフクラブヘッドを示す。さらに具体的には、複数のフェアウェイウッドタイプのゴルフクラブヘッドのＣＧ位置は概ねすべて、中立軸線から８．０ｍｍ以内にある。さらに具体的には、複数のフェアウェイウッドタイプのゴルフクラブヘッドのうちの任意のクラブ同士の間における中立軸線からのＣＧ位置距離の変化は、概ね約１．２５ｍｍ未満であり、より好ましくは約１．０ｍｍ未満であり、最も好ましくは約０．７５ｍｍ未満である。究極的には、フェアウェイウッドタイプのゴルフクラブヘッドの中立軸線から、３番のフェアウェイウッドタイプのゴルフクラブヘッド４００ではＣＧ４０２の位置までの距離ｄ４は約７．２ｍｍであり、５番のフェアウェイウッドタイプのゴルフクラブヘッド５００ではＣＧ５０２の位置までの距離ｄ５は約７．７ｍｍであり、７番のフェアウェイウッドタイプのゴルフクラブヘッド６００ではＣＧ６０２の位置までの距離ｄ２は約７．９ｍｍである。
【００２６】
図４は、ロフト角Φを有する本発明の典型的な実施形態に係る３番のフェアウェイウッドタイプのゴルフクラブヘッド４００を示す。図４は３番のフェアウェイウッドタイプのゴルフクラブヘッド４００を示しており、本発明の典型的な実施形態に係るロフト角Φは、概ね約１４度より大きいとともに約１８度未満であり、より好ましくは約１６度未満である。図４はまた、中立軸線４０４から「ＣＧ位置距離」ｄ４で離れて配置される典型的な３番のフェアウェイウッドタイプのゴルフクラブヘッド４００を示す。上述と同様に、ゴルフクラブヘッド４００の中立軸線４０４は、ゴルフクラブヘッド４００の打撃フェース４１０の中心４０６を通るとともにロフト角Φを有する打撃フェース４１０に対して垂直な軸線として概ね定義されている。ここで、この現在の本発明の典型的な実施形態では、中立軸線４０４からＣＧ４０２の位置までの距離を示す距離ｄ４は、概ね約８．０ｍｍ未満であるとともに約５．０ｍｍよりも大きく、最も好ましくは約７．２ｍｍである。３番のフェアウェイウッドタイプのゴルフクラブヘッド４００の体積は、概ね約１６５ｃｃよりも大きいとともに約２５０ｃｃ未満であり、最も好ましくは約１７０ｃｃである。最後に、３番のフェアウェイウッドタイプのゴルフクラブヘッド４００は、約−２度〜約２度の間の迎え角で約８０ｍｐｈ〜約８５ｍｐｈの速度でゴルフボールを打つ場合に、概ね約３６００ｒｐｍのバックスピン率を有する。
【００２７】
図５は、ロフト角θを有する本発明の典型的な実施形態に係る５番のフェアウェイウッドタイプのゴルフクラブヘッド５００を示す。図５は５番のフェアウェイウッドタイプのゴルフクラブヘッド５００を示しているので、本発明の典型的な実施形態に係るロフト角θは、概ね約１６度よりも大きいととともに約２０度未満であり、最も好ましくは約１８度である。図５はまた、中立軸線５０５から「ＣＧ位置距離」ｄ５で離れて配置される典型的な５番のフェアウェイウッドタイプのゴルフクラブヘッド５００のＣＧ５０２を示す。ここで、本発明の現在の典型的な実施形態では、距離ｄ５は、概ね約８．０ｍｍ未満であるとともに約５．０ｍｍよりも大きく、最も好ましくは約７．７ｍｍである。５番のフェアウェイウッドタイプのゴルフクラブヘッド５００の体積は、概ね約１６０ｃｃよりも大きいとともに約１７０ｃｃ未満であり、最も好ましくは約１６５ｃｃである。最後に、５番のフェアウェイウッドタイプのゴルフクラブヘッド５００は、約−２度〜約２度の間の迎え角で約８０ｍｐｈ〜約８５ｍｐｈの速度でゴルフボールを打つ場合に、概ね約３９００ｒｐｍのバックスピン率を有する。
【００２８】
図６は、ロフト角σを有する本発明の典型的な実施形態に係る７番のフェアウェイウッドタイプのゴルフクラブヘッド６００を示す。図６は７番のフェアウェイウッドタイプのゴルフクラブヘッド６００を示しているので、本発明の典型的な実施形態に係るロフト角σは、概ね約１８度よりも大きいととともに約２４度未満であり、最も好ましくは約２０度である。図６はまた、中立軸線から「ＣＧ位置距離」ｄ６で離れて配置される典型的な７番のフェアウェイウッドタイプのゴルフクラブヘッド６００のＣＧ６０２を示す。ここで、本発明の現在の典型的な実施形態では、距離ｄ６は、概ね約８．０ｍｍ未満であるとともに約５．０ｍｍよりも大きく、最も好ましくは約７．９ｍｍである。７番のフェアウェイウッドタイプのゴルフクラブヘッド６００の体積は、概ね約１１０ｃｃよりも大きいとともに約１６５ｃｃ未満であり、最も好ましくは約１５９ｃｃである。最後に、７番のフェアウェイウッドタイプのゴルフクラブヘッド６００は、約−２度〜約２度の間の迎え角で約８０ｍｐｈ〜約８５ｍｐｈの速度でゴルフボールを打つ場合に、概ね約４２００ｒｐｍのバックスピン率を有する。
【００２９】
本発明の典型的な実施形態に係るフェアウェイウッドタイプのゴルフクラブヘッド４００、５００、及び６００によって生成されるスピンの量を調べると、３番のフェアウェイウッドタイプのゴルフクラブヘッド４００によって生成されるスピンの量と、５番のフェアウェイウッドタイプのゴルフクラブヘッド５００によって生成されるスピンの量と、７番のフェアウェイウッドタイプのゴルフクラブヘッド６００によって生成されるスピンの量と、は実質的に同様であることが明らかである。さらに具体的には、本発明の典型的な実施形態に係る５番のフェアウェイウッドタイプのゴルフクラブヘッド５００は、３番のフェアウェイウッドタイプのゴルフクラブヘッド４００よりも約３００ｒｐｍしか多くのバックスピンを生成しない一方で、７番のフェアウェイウッドタイプのゴルフクラブヘッド６００は、５番のフェアウェイウッドタイプのゴルフクラブヘッド５００よりも約３００ｒｐｍしか多くのバックスピンを生成しない。究極的には、本発明の典型的な実施形態に係る複数のゴルフクラブヘッドでは、複数のフェアウェイウッドタイプのゴルフクラブヘッドのうちのいずれか２つのクラブ同士の間のバックスピン量の変化が概ね約６００ｒｐｍよりも小さい。これらのバックスピンの数字は、従来技術のフェアウェイウッドタイプのゴルフクラブヘッド１００、２００、及び３００と対比した場合に、概ね格段に小さく変化する。前述したように、最小にしたスピンの変化がセット内のありとあらゆるクラブにさらなる飛距離を提供するので、複数のフェアウェイウッドタイプのゴルフクラブヘッドのバックスピン量をコントロールすることは有益である。さらなる飛距離を提供することに加えて、異なるフェアウェイウッドタイプのゴルフクラブヘッド同士の間のスピンの変動の減少は、異なるクラブ同士の間の飛距離の空白部分を概ね最小にし、そのことは、様々な異なるゴルフショットを実行することをゴルファーに可能にすることによってゴルファーに有益である。
【００３０】
本発明の典型的な実施形態に係るフェアウェイウッドタイプのゴルフクラブヘッドの別の重要な改善は、中立軸線からのＣＧ位置距離の変化の減少である。フェアウェイウッドタイプのゴルフクラブヘッド４００、５００、及び６００のセット内で中立軸線からのＣＧ位置距離の変化を減少させることは、大きなロフトを有するフェアウェイウッドタイプのゴルフクラブヘッドに概ね関連した過度のスピンと高くへの打ち上げ作用とをコントロールすることに対して有益である。さらに具体的には、複数のゴルフクラブヘッドのうちのＣＧ位置距離ｄ４、ｄ５、及びｄ６のいずれかの間の差異は概ね約１．００ｍｍよりも小さい。例えば、距離ｄ４と距離ｄ５との間の差異は概ね約０．４９ｍｍであると同時に、距離ｄ５と距離ｄ６との間の距離は概ね約０．３ｍｍである。ｄ４とｄ６との間のＣＧ位置距離でさえも概ね約０．７９ｍｍよりも小さい。中心軸線からのＣＧ位置の配置の小さな変動のために、異なるクラブ同士の間のスピン率の差異を概ね最小にし、そのことが、フェアウェイタイプのゴルフクラブヘッドの高くへの打ち上げ作用を低減することによって最大距離を稼ぐ。
【００３１】
異なるフェアウェイウッドタイプのゴルフクラブヘッド４００、５００、及び６００の間のＣＧ位置距離の変化をコントロールして最小にすることは、中立軸線のより近くにＣＧ位置を移動することを助ける位置にゴルフクラブヘッドの自由に動かせる重量を配置することによって概ね実現され得る。さらに具体的には、フェアウェイウッドタイプのゴルフクラブヘッドはより小さな体積及びサイズを有するので、中立軸線のより近くにＣＧ位置を移動させることを助けるためゴルフクラブヘッド内には十分に自由に動かせる重量がある。しかしながら、中立軸線のより近くにＣＧ位置を配置することは、従来技術によって説明されるように、より低くてさらに後側にＣＧ位置を移動させることによってのみでは実現することができない。ＣＧ位置を低くすることが中立軸線により近い位置にＣＧ位置距離を持ってくることを助け得るものの、従来技術で説明されるようにＣＧ位置をさらに後側に移動させることは、中立軸線からＣＧ位置を事実上遠ざけ得る。ゴルフクラブヘッドの打撃フェースのロフト角に垂直な中立軸線の角度のより綿密な考察は、打撃フェースのロフト角がゴルフクラブヘッドの後方に向かって中立軸線を概ね低くしていくので、この現象を説明することに役立つ。
【００３２】
上述のスピンの数字に加えてＣＧ位置距離の減少を考慮すると、複数のフェアウェイウッドタイプのゴルフクラブヘッドのうちの個々のクラブ同士の間の関係を説明する重要な性能比率を得ることができる。この重要な性能比率は、以下の式１で示されるようなロフトに対するスピンの比率として概して言及され得る。
【数１】
2011131056.tif 000003
ゴルフクラブヘッドのこのロフトに対するスピンの比率は、飛距離を維持するとともにゴルフクラブをコントロールするためにゴルフクラブヘッドの能力を得る一方で大きなロフトを有するフェアウェイウッドタイプのゴルフクラブヘッドに生じがちな懸念される高くへの打ち上げ作用を制限するので、ゴルフクラブヘッドの性能に対して重要である。上述のスピンとロフトとの数字に基づけば、本発明の典型的な実施形態に係る３番のフェアウェイウッドタイプのゴルフクラブヘッド４００は、約２２９ｒｐｍ／度よりも大きいとともに約２３０ｒｐｍ／度未満、最も好ましくは約２２５ｒｐｍ／度のロフトに対するスピンの比率を概ね有しており、本発明の典型的な実施形態に係る５番のフェアウェイウッドタイプのゴルフクラブヘッド５００は、約２１０ｒｐｍ／度よりも大きいとともに約２２０ｒｐｍ／度未満、最も好ましくは約２１５ｒｐｍ／度のロフトに対するスピンの比率を概ね有しており、典型的な実施形態に係る７番のフェアウェイウッドタイプのゴルフクラブヘッド６００は、約２０５ｒｐｍ／度よりも大きいとともに約２１５ｒｐｍ／度未満、最も好ましくは約２１０ｒｐｍ／度のロフトに対するスピンの比率を概ね有している。
【００３３】
本発明の典型的な実施形態に係る複数のゴルフクラブヘッドの興味深い１つの結果は、それぞれ個々のクラブのロフトが増加するにつれてロフトに対するスピンの比率が減少することである。本発明の典型的な実施形態に係るフェアウェイウッドタイプのゴルフクラブヘッドのセットがセット内の異なるフェアウェイタイプのゴルフクラブヘッドによって生成されるスピンの量を維持することにおいて良好な仕事をするので、ロフトに対するスピンの比率のこの減少がたいてい生じる。さらに、すべて本発明の範囲及び内容から逸脱しない範囲で、セット内のいずれか２つのゴルフクラブヘッド同士の間のロフトに対するスピンの比率の変化は、概ね１４ｒｐｍ／度未満であり、より好ましくは約１２ｒｐｍ／度未満であり、及び最も好ましくは約１０ｒｐｍ／度未満である。
【００３４】
フェアウェイウッドタイプのゴルフクラブヘッドによって生成されるスピンの量が中立軸線からのＣＧ位置距離に密接に関連するといった事実によって、フェアウェイウッドタイプのゴルフクラブヘッドの複数のセットのうちで中立軸線から離れたＣＧ位置を維持することが、望ましくない過度のスピンと高くへの打ち上げ作用とをコントロールする最も重要な方法の１つである。複数の異なるフェアウェイウッドタイプのゴルフクラブヘッドを通じて一定のＣＧ位置距離を有することの関係性を定量化する最良の方法の１つは、以下の式２に示されるＣＧ位置距離に対する体積の比率を通じてである。
【数２】
2011131056.tif 000004
ＣＧ位置距離に対する体積の比率は、ＣＧ位置の距離の形態で簡単に測定可能で定量化可能なパラメータを提供するので、フェアウェイウッドタイプのゴルフクラブヘッドには重要である。本発明の典型的な実施形態に係る３番のフェアウェイウッドタイプのゴルフクラブヘッド４００では、ＣＧ位置距離に対する体積の比率は概ね、約２２５ｃｍ2よりも大きいとともに約２４５ｃｍ2未満、最も好ましくは約２３５ｃｍ2であり、本発明の典型的な実施形態に係る５番のフェアウェイウッドタイプのゴルフクラブヘッド５００では、ＣＧ位置距離に対する体積の比率は概ね、約２０２ｃｍ2よりも大きいとともに約２２２ｃｍ2未満、最も好ましくは約２１２ｃｍ2であり、典型的な実施形態に係る７番のフェアウェイウッドタイプのゴルフクラブヘッド６００では、ＣＧ位置距離に対する体積の比率は概ね、約１８４ｃｍ2よりも大きいとともに約２０４ｃｍ2未満、最も好ましくは約１９４ｃｍ2である。
【００３５】
中立軸線からのＣＧ位置距離は、フェアウェイウッドタイプのゴルフクラブヘッドによって生成されるスピンの量に密接に関連しているので、ＣＧの位置を、様々なフェアウェイウッドタイプのゴルフクラブヘッドの体積の変化にも拘わらず中立軸線から約８．０ｍｍ未満に維持することが、複数のフェアウェイウッドタイプのゴルフクラブヘッドを通じて一定のバックスピンの特性を確保する。さらに具体的には、すべて本発明の範囲及び内容から逸脱しない範囲で、セット内のいずれか２つのクラブ同士の間で約５０ｃｍ2未満の、より好ましくは４８ｃｍ2未満の、及び最も好ましくは４６ｃｍ2未満のＣＧ位置距離に対する体積の比率を維持することがさらに望ましい。
【００３６】
実施例以外に、又ははっきりと特定されない限り、明細書の以下の箇所において、例えば材料の量、慣性モーメント、重心位置、ロフト角、ドラフト角、及びその他、のすべての数値範囲、量、数値及び割合は、数値、量、又は範囲とともに単語「約」が特に表されていなくても、あたかも単語「約」が前置きされているように読まれ得る。従って、それとは反対に示されない限り、以下の明細書で説明される数値パラメータ及び添付の特許請求の範囲は、本発明によって得られると考えられる所望の特性に応じて変化し得る近似値である。少なくとも、特許請求の範囲に記載の本発明の範囲に均等論の適用を限定する試みとしてではなく、各数値パラメータは、報告された有効桁数に関して、かつ、通常の丸めの技術を適用することによって、少なくとも解釈されるべきである。
【００３７】
本発明の概略の範囲を説明する数値範囲及び数値パラメータが近似値であるにも拘わらず、特定の実施例で説明される数値はできる限り正確に報告される。しかしながら、任意の数値は、それらのテスト測定において発見された標準偏差から必然的に生じるある誤差を本質的に包含する。さらに、可変範囲の数値範囲がここで説明される場合には、列挙される数値を含めたそれらの数値の任意の組み合わせが用いられ得ることが意図される。
【００３８】
当然のことながら、前述のものが本発明の典型的な実施形態に関すること、以下の特許請求の範囲で説明されるような本発明の精神及び範囲から逸脱しない範囲において変形がなされ得ることが理解されよう。
【符号の説明】
【００３９】
４００、５００、６００    ゴルフクラブヘッド
４０２、５０２、６０２    重心
４０４、５０４、６０４    中立軸線
４０６、５０６、６０６    フェース中心
４１０、５１０、６１０    打撃フェース
ｄ４、ｄ５、ｄ６    ＣＧ位置距離
Φ、θ、σ    ロフト角
【図１】
2011131056.tif 000005
【図２】
2011131056.tif 000006
【図３】
2011131056.tif 000007
【図４】
2011131056.tif 000008
【図５】
2011131056.tif 000009
【図６】
2011131056.tif 000010
【外国語明細書】
2011131056000001.pdf